(57)【要約】【課題】光硬化性樹脂に光を照射する光照射装置には照射光の照度分布の偏りを抑制する観点で改善すべき課題がある。本発明の目的は、このような課題に鑑みてなされたもので、照射光の照度分布の偏りを抑制することが可能な光照射装置を提供することにある。【解決手段】光照射装置１００は、光源部２０と、導光部８と、を備える。光源部２０は光２６を出力する。導光部８は光源部２０からの光２６を内面反射して導光し、出射口１８ｈから出射する。導光部８は、光路に対して垂直な断面の内形形状が多角形である。【選択図】図３
2019115523.tif 000002
【特許請求の範囲】
【請求項１】
光を出力する光源部と、
前記光源部からの光を内面反射して導光し、出射口から出射する導光部と、
を備え、
前記導光部は、光路に対して垂直な断面の内形形状が多角形であることを特徴とする光照射装置。
【請求項２】
前記導光部は、光路中において光路方向を変更する光路変更部を有することを特徴とする請求項１に記載の光照射装置。
【請求項３】
前記光路変更部は、光路方向を変更するための反射部材を含むことを特徴とする請求項２に記載の光照射装置。
【請求項４】
前記導光部は、前記光源部から遠ざかるにつれて光路の断面積が徐々に小さくなる断面変化部を有することを特徴とする請求項１から３のいずれかに記載の光照射装置。
【請求項５】
前記導光部は、前記光源部からの光が入射する本体部と、前記本体部に着脱可能に設けられ、前記出射口を有する出射部と、を含むことを特徴とする請求項１から４のいずれかに記載の光照射装置。
【請求項６】
前記光源部は、３２０ｎｍ〜４００ｎｍまたは２８０ｎｍ〜３５０ｎｍの波長範囲にピークを有する紫外線を出力することを特徴とする請求項１から５のいずれかに記載の光照射装置。
【発明の詳細な説明】
【技術分野】
【０００１】
本発明は、光照射装置に関する。
【背景技術】
【０００２】
歯科治療の分野で、紫外線を用いて光硬化性の樹脂（レジン）を硬化させる方法が知られている。例えば、特許文献１には、歯科用光重合型コンポジットレジン用光照射装置が記載されている。特許文献１に記載の歯科用の光照射装置は、複数の発光波長の光を出力するＬＥＤと、点灯するＬＥＤを切り替える切替スイッチと、を備えている。
【先行技術文献】
【特許文献】
【０００３】
【特許文献１】特開２００３−３０５０５８号公報
【発明の概要】
【発明が解決しようとする課題】
【０００４】
本発明者は、光硬化性樹脂に光を照射する光照射装置について以下の認識を得た。
光硬化性樹脂に光を照射して硬化させる場合に、光硬化性樹脂は均一に硬化されていることが望ましい。過硬化や未硬化が生じると樹脂の耐久性が低下する可能性があるためである。光硬化性樹脂を均一に硬化させるためには、照射光は光硬化性樹脂に均一に照射されることが望ましい。
【０００５】
光照射装置について、光源からの光を出口に導くために光透過性のファイバーを束ねて一体となしたライトガイドを用いることが考えられる。しかし、本発明者の検討によれば、光ファイバーを束ねたライトガイドを用いると、光の出口において照射光の照度分布の偏りが生じ易いことが判明した。これは、光ファイバーを束ねたライトガイドで導光すると、光源での照度分布の偏りが、出射光の照度分布の偏りに繋がるためであると考えられる。特に、波長が異なる複数の発光素子を基板面に並べて配置した場合、光ファイバーを束ねたライトガイドで導光すると、その配置による光特性の偏りが出射光の偏りを招く可能性が高い。
【０００６】
このことから、本発明者は、光硬化性樹脂に光を照射する光照射装置には照射光の照度分布の偏りを抑制する観点で改善すべき課題があることを認識した。
このような課題は、歯科治療の用途に限らず、別の分野の用途における光硬化性樹脂に光を照射する光照射装置についても生じうる。
【０００７】
本発明の目的は、このような課題に鑑みてなされたもので、照射光の照度分布の偏りを抑制することが可能な光照射装置を提供することにある。
【課題を解決するための手段】
【０００８】
上記課題を解決するために、本発明のある態様の光照射装置は、光を出力する光源部と、光源部からの光を内面反射して導光し、出射口から出射する導光部と、を備える。導光部は、光路に対して垂直な断面の内形形状が多角形である。
【０００９】
この態様によると、光源からの光を内面反射して導光することにより、反射時に光が混じり合い、出射光の照度の偏りを抑制することができる。
【００１０】
なお、以上の構成要素の任意の組み合わせや、本発明の構成要素や表現を方法、システムなどの間で相互に置換したものもまた、本発明の態様として有効である。
【発明の効果】
【００１１】
本発明によれば、照射光の照度分布の偏りを抑制することが可能な光照射装置を提供することができる。
【図面の簡単な説明】
【００１２】
【図１】第１実施形態に係る光照射装置の側面図である。
【図２】図１の光照射装置の底面図である。
【図３】図２のＡ−Ａ線で切断した側面視の断面図である。
【図４】図１の光照射装置の光源部の正面図である。
【図５】第１変形例に係る光照射装置の側面視の断面図である。
【図６】第２変形例に係る光照射装置の側面視の断面図である。
【図７】第３変形例に係る光照射装置の側面視の断面図である。
【図８】図７の光照射装置の光源部の正面図である。
【図９】第４変形例に係る光照射装置の側面視の断面図である。
【図１０】第５変形例に係る光照射装置の側面視の断面図である。
【発明を実施するための形態】
【００１３】
［第１実施形態］
以下、図面を参照して、本発明の第１実施形態に係る光照射装置１００について説明する。図１は、第１実施形態に係る光照射装置１００の側面図である。図２は、光照射装置１００の底面図である。図３は、光照射装置１００の側面視の断面図である。図３は、図２のＡ−Ａ線に沿った縦断面を示している。図４は、光照射装置１００の光源部２０の正面図である。
【００１４】
以下、ＸＹＺ直交座標系をもとに説明する。Ｙ軸方向は、図１〜図３では紙面左右方向に対応し、図４では紙面垂直方向に対応する。Ｘ軸方向は、図１、図３では紙面垂直方向に対応し、図２では紙面上下方向に対応し、図４では紙面左右方向に対応する。Ｚ軸方向は、図１、図３、図４では紙面上下方向に対応し、図２では紙面垂直方向に対応する。Ｙ軸方向およびＺ軸方向はそれぞれＸ軸方向に直交する。このような方向の表記は光照射装置１００の使用姿勢を制限するものではなく、光照射装置１００は任意の姿勢で使用されうる。
【００１５】
（光照射装置）
光照射装置１００は、出射部１８に設けられた出射口１８ｈから光硬化性樹脂を硬化させるための照射光２８を照射する光照射装置である。一例として、光照射装置１００は、口腔内で歯科治療用樹脂を硬化させるための光照射装置として用いることができる。光照射装置１００は、導光部８と、光源部２０と、センサ４６と、操作ユニット６０と、を主に含む。導光部８は、本体部１０と、出射部１８と、光路変更部３２と、を主に含む。操作ユニット６０は、制御部５０と、電源部５２と、操作部５４と、表示部５６と、を主に含む。
【００１６】
導光部８は光源部２０からの光を内面反射して導光し、出射部１８の出射口１８ｈから出射する。導光部８は、光源部２０からの光が入射する本体部１０と、本体部１０に着脱可能に設けられ、出射口１８ｈを有する出射部１８と、を含んでいる。光源部２０は光２６を、導光部８の本体部１０に向けて出力する。本体部１０は光源部２０からの光２６を出射部１８に導く。光路変更部３２は、光路中において光路方向を変更し、本体部１０からの光２６ｂを曲げて出射部１８に導く。出射部１８は、光路変更部３２からの光２６ｃを出射口１８ｈに導き、出射口１８ｈから照射光２８として出射する。制御部５０は、光源部２０の発光を制御する。電源部５２は、光照射装置１００に電力を供給する。操作部５４は、光照射装置１００の動作開始や停止の操作を検知する。表示部５６は、光照射装置１００の動作状態などを表示する。
【００１７】
（光源部）
一例として、光源部２０は、光硬化性樹脂を硬化させる作用を有する波長の光２６を出力してもよい。光源部２０は、単一波長の光を出力するようにしてもよいが、光照射装置１００では複数の波長の光を出力するように構成されている。波長をミックスして、または波長を切り替えて使用することによって、それぞれの波長に対応する作用を生じさせることができる。光源部２０は、一例として、３２０ｎｍ〜４００ｎｍの長波長紫外線（ＵＶＡ波）や、２８０ｎｍ〜３５０ｎｍの中波長紫外線（ＵＶＢ波）などを出力してもよい。
この結果、出射口１８ｈから出力される照射光２８には、３２０ｎｍ〜４００ｎｍの波長範囲にピークを有する紫外線または２８０ｎｍ〜３５０ｎｍの波長範囲にピークを有する紫外線のいずれか一方あるいは両方を含ませることができる。
【００１８】
光源部２０は、基板２０ｂと、基板２０ｂに配置された発光体２２と、嵌合枠４０と、を含む。基板２０ｂはＸ−Ｚ平面に延在する板状の部材である。基板２０ｂには、公知の様々な基板を採用することができる。基板２０ｂの正面視の外形は矩形状を呈する。
【００１９】
発光体２２は、１または複数の発光素子を含む。図３の例では、発光体２２は、Ｎ行Ｍ列（ＮおよびＭは、２以上の整数）のマトリックス状に配置された複数の発光素子２２ｅを含んでいる。ＮおよびＭは、同数であってもよく非同数であってもよい。ＮおよびＭは、所望の照度と所望の波長数とに対応して設定することができる。図２の例では、発光体２２は、２行２列に配置された４個の発光素子２２ｅを含んでいる。なお、光源部２０が発光素子２２ｅを複数備えることは必須ではなく、光源部２０は発光素子２２ｅを１個だけ備えてもよい。
【００２０】
発光体２２としては、種々の原理に基づく発光素子２２ｅを採用することができる。光照射装置１００では、発光体２２として、紫外光を発光するＬＥＤ（Light Emitting Diode）が採用されている。発光体２２として、例えば中心波長またはピーク波長が約３０５ｎｍのＬＥＤを用いることで、ＵＶＢ波の照射に用いることができる。このようなＬＥＤとして、窒化アルミニウムガリウム（ＡｌＧａＮ）系のＬＥＤが知られている。
【００２１】
嵌合枠４０は、光源部２０を本体部１０に着脱自在に装着するための枠状の部材である。嵌合枠４０は、発光体２２を囲む矩形状の枠体であって、基板２０ｂが固定されている。嵌合枠４０は、基板２０ｂからＹ軸方向に突出しており、本体部１０が嵌合枠４０の外周に嵌合する形状を有している。
【００２２】
（本体部）
本体部１０には光源部２０からの光が入射する。本体部１０は光源部２０からの光２６の発散を抑制して出射部１８に向かって導く。本体部１０は、光２６を導く光路を環囲する略筒状の部材である。本体部１０は光源部２０からの光２６の光路方向に延伸している。図３の例では、光路方向はＹ軸方向に定められており、本体部１０はＹ軸方向に延伸している。本体部１０の光路に垂直な内形断面は多角形であってもよく、この例では、四角形である。したがって、本体部１０は、第１反射板１２と、第２反射板１４と、一対の側面反射板１６と、を含む。
【００２３】
第１反射板１２と、第２反射板１４と、一対の側面反射板１６と、は筒状の空間を環囲するように組み合わせされている。図３の例では、第１反射板１２は本体部１０の上壁を構成し、第２反射板１４は本体部１０の下壁を構成し、各側面反射板１６は本体部１０の各側壁を構成している。本体部１０は、光２６を各反射板で内面反射させて照度分布の偏りを小さくするように作用する。第１反射板１２、第２反射板１４および一対の側面反射板１６それぞれの内面は、アルミニウムなど高反射率の材料で形成されてもよい。アルミニウムは紫外光の領域において高い反射率を有する点で好ましい。
【００２４】
第１反射板１２と第２反射板１４とは、Ｚ軸方向に離れてそれぞれの反射面が対向するように配置される。第１反射板１２と第２反射板１４とのＺ軸方向の間隔は一定でもよい。図１、図３の例では、第１反射板１２と第２反射板１４とは、光源部２０側からＹ軸方向に、Ｚ軸方向の間隔が一定の部分と、光源部２０から遠ざかるにつれてＺ軸方向の間隔が小さくなる部分と、Ｚ軸方向の間隔が一定の部分と、をこの順で有している。
【００２５】
一対の側面反射板１６は、Ｘ軸方向に離れてそれぞれの反射面が対向するように配置される。一対の側面反射板１６は、第１反射板１２の側辺と第２反射板１４の側辺との間に架け渡される反射板である。一対の側面反射板１６のＸ軸方向の間隔は一定でもよい。図２の例では、一対の側面反射板１６は、光源部２０側からＹ軸方向に、Ｘ軸方向の間隔が一定の部分と、光源部２０から遠ざかるにつれてＸ軸方向の間隔が小さくなる部分と、Ｘ軸方向の間隔が一定の部分と、をこの順で有している。
【００２６】
（断面変化部）
光源部２０は、波長特性を切り替えたり所望の組合せで混合するために、波長特性の異なる複数の発光素子２２ｅを備えることが望ましい。このため、導光部８の入射側の断面積を大きくすることが考えられる。出射口は、口腔内の限定された領域を照射するために小形であることが望ましい。例えば、光照射装置１００を患者の口腔内の歯牙に充填された歯科用光重合型コンポジットレジンを重合硬化させるために用いる場合には、出射口を５ｍｍ〜１５ｍｍ角程度にすればよい。そこで、図１の導光部８は、光源部２０から遠ざかるにつれて光路の断面積が徐々に小さくなる断面変化部４４を有している。光路の断面積は、光路に垂直な内形断面の面積である。断面変化部４４は、例えば導光部８の本体部１０に設けられてもよい。断面変化部４４は、第１反射板１２と第２反射板１４の光源部２０から遠ざかるにつれてＺ軸方向の間隔が小さくなる部分と、一対の側面反射板１６の光源部２０から遠ざかるにつれてＸ軸方向の間隔が小さくなる部分とに対応する。
【００２７】
（光路変更部）
光路変更部３２は、本体部１０の光路と出射部１８の光路の間に設けられる。光路変更部３２は、光路方向を変更するための反射部材３４を含む。図３の例では、反射部材３４は、本体部１０からＹ軸方向に入射した光２６ｂを反射し、Ｚ軸方向に進行する光２６ｃを出射部１８に出射する。光照射装置１００は、光路変更部３２を備えることにより装置全体の光路がＬ字状に構成されている。反射部材３４は、本体部１０から入射した光２６ｂを反射して出射口１８ｈに向けて出射する反射板として機能する。反射部材３４は、例えば、平坦な板状の部材であってもよい。反射部材３４の反射面は、アルミニウムなど高反射率の材料で形成されてもよい。反射部材３４は、本体部１０または出射部１８の内側に配置されてもよい。図３の例では、出射部１８の上部空間においてＸ軸方向に平行でＹ軸方向およびＺ軸方向に対して４５°傾けて配置されている。
【００２８】
（出射部）
出射部１８は、本体部１０に着脱可能に設けられ、出射口１８ｈを有する。出射部１８は光路変更部３２からの光２６ｃの発散を抑制して出射口１８ｈに導く。出射部１８は、光２６ｃを導く光路を環囲する略筒状の部材である。出射部１８は光２６ｃの光路方向に延伸している。図３の例では、出射部１８はＺ軸方向に延伸している。出射部１８の光路に垂直な内形断面は多角形であってもよく、この例では、四角形である。出射部１８は４枚の反射板から構成されてもよい。出射部１８は、光２６ｃを各反射板で内面反射させて照度分布の偏りを小さくするように作用する。各反射板の内面は、反射率が高いことが望ましく、図３の例では、アルミニウム素材で形成されている。
【００２９】
（出射口）
出射口１８ｈは、出射部１８のＺ軸方向の先端に設けられた開口である。図２の例では、出射口１８ｈは、下面視で略矩形状をなしている。出射口１８ｈには透光材が設けられてもよいが、図２の例では、透光材は設けられていない。出射口１８ｈが歯などの被照射体に当たったときにその被照射体に傷がつくおそれがある。そこで、この例では、出射口１８ｈの周辺に緩衝部材１８ｓが設けられている。緩衝部材１８ｓは、出射口１８ｈの下端面やその近傍を覆うように設けられている。緩衝部材１８ｓは、樹脂など出射部１８を形成する材料より柔らかい材料で形成されていてもよい。緩衝部材１８ｓは、出射口１８ｈの周辺に樹脂を塗布して形成することができる。緩衝部材１８ｓは、樹脂成形により形成されて出射口１８ｈに装着されてもよい。
【００３０】
出射部１８が被照射体に対して大きすぎると、被照射体の周囲に照射光が無駄に照射され、非効率である。出射部１８が被照射体に対して小さすぎると、被照射体に照射不足部分が生じる。このため、被照射体の大きさに応じて異なる大きさの出射部１８を使い分けることが望ましい。そこで、この例では、出射部１８は、本体部１０に着脱自在に取り付けられている。図３の例では、出射部１８には着脱機構４２が設けられている。着脱機構４２は、出射部１８の入射側の端部に設けられる角筒状の部分である。着脱機構４２は、本体部１０の出射側の端部の外周を環囲する形状を有する。着脱機構４２の形状は、本体部１０に装着された状態での通常の使用では容易に落下せず、取り外し方向に力が加えられると円滑に取り外し可能に定めることができる。
【００３１】
（センサ）
照射光が常に出射される場合、その光は、無駄であり、周囲にいくらかの影響を与えるおそれがある。このため。光源部２０は、出射部１８が被照射体に接近したときに発光するように制御されてもよい。光照射装置１００には、被照射体までの距離を検知するセンサ４６が設けられている。センサ４６には、リミットスイッチなど公知の様々なセンサを採用することができる。
【００３２】
制御部５０は、操作部５４からの入力およびセンサ４６の検知結果に基づいて発光体２２の発光を制御する。制御部５０は、発光体２２の発光強度や点灯時間といった照射条件を設定するための情報を表示部５６に表示させる。制御部５０は、操作部５４からの入力を通じてこれらの条件の設定を受け付ける。制御部５０は、例えば、複数の照射モードと各照射モードに対応する照射条件を保持してもよい。制御部５０は、複数の照射モードのリストを表示部５６に表示させ、操作部５４からの入力により照射モードの指定を受け付けることで、指定された照射モードに対応する照射条件の照射光が出力されるように発光体２２を制御してもよい。制御部５０は、公知のＣＰＵ（Central Processing Unit）などを用いて実現することができる。
【００３３】
電源部５２は、光源部２０や制御部５０などに電力を供給する。電源部５２は、リチウムイオン電池などの蓄電池（不図示）を含む。電源部５２は、蓄電池を充電するための電源端子を有し、電源端子に接続されるＡＣアダプタ等を通じて充電できるように構成される。なお電源部５２は、一次電池または二次電池である乾電池を含んでもよい。この場合、光照射装置１００には蓄電池や乾電池を保持するためのホルダが設けられてもよい。
【００３４】
操作部５４は、光照射装置１００による照射の開始および終了の操作や、光照射装置１００の照射条件を設定するための操作に用いられる。表示部５６は、例えば液晶ディスプレイなどで構成され、光照射装置１００の動作状態や設定される照射条件などを表示する。操作部５４は、表示部５６とは別の位置に設けられるスイッチやボタンなどで構成されてもよいし、表示部５６と一体となったタッチパネルなどで構成されてもよい。
【００３５】
光照射装置１００では、本体部１０と、光源部２０と、は本体部５８を構成している。操作ユニット６０は、本体部５８と一体に構成されてもよいが、図１の例では別体に構成されており、互いに電線によって接続されている。この場合、本体部５８が軽量になり照射作業が容易になる。なお、操作ユニット６０に含まれると説明された部材や要素が本体部５８に含まれてもよい。
【００３６】
次に、光照射装置１００の使用方法について説明する。まず、照射条件に対応して照射モードが決定される。次に、光照射装置１００は、出射口１８ｈが照射対象の硬化性樹脂が塗布された箇所を覆うように配置される。光照射装置１００を配置した後、照射光の照射を開始させる。照射が開始されてから予め設定された時間の経過後に照射が自動的に停止される。これらの作業は口腔内にて行われてもよい。
【００３７】
次に、このように構成された光照射装置１００の作用・効果を説明する。
【００３８】
第１実施形態に係る光照射装置１００は、光を出力する光源部２０と、光源部２０からの光を内面反射して導光し、出射口１８ｈから出射する導光部８と、を備え、導光部８は、光路に対して垂直な断面の内形形状が多角形である。この構成によれば、束ねられた光ファイバーを用いる場合と比べて、光源部２０からの光を内面反射して導光するので、光が混ざり合い、照射光の照度分布の偏りが減少する。内形断面が多角形なので、円形の場合と比べて照度分布の偏りが小さくなる。
【００３９】
第１実施形態に係る光照射装置１００では、導光部８は、光路中において光路方向を変更する光路変更部３２を有している。この構成によれば、光路変更部を備えない場合と比べて、導光部８を口腔内に挿入した状態で、出射口を歯の周辺に塗布した樹脂に向けることが簡単になる。出射口を樹脂に向けることにより、樹脂に照射される光量の偏りを小さくすることができる。
【００４０】
第１実施形態に係る光照射装置１００では、光路変更部３２は、光路方向を変更するための反射部材３４を含んでいる。この構成によれば、反射部材３４を用いない場合と比べて、光路変更部３２の小型軽量化が容易である。
【００４１】
第１実施形態に係る光照射装置１００では、導光部８は、光源部２０から遠ざかるにつれて光路の断面積が徐々に小さくなる断面変化部４４を有している。この構成によれば、導光部８の入射側の断面積を出射側よりも大きくすることができるので、複数の発光素子２２ｅを光源部２０に配置することができる。例えば、波長特性の異なる複数の発光素子を配置し、波長特性を切り替えたり、所望の組合せで混合することが可能である。
【００４２】
第１実施形態に係る光照射装置１００では、導光部８は、光源部２０からの光が入射する本体部１０と、本体部１０に着脱可能に設けられ、出射口１８ｈを有する出射部１８と、を含んでいる。この構成によれば、被照射体の大きさに応じて異なる大きさの出射部１８を使い分けることができる。
【００４３】
以上、本発明の各実施形態をもとに説明した。これらの実施形態は例示であり、いろいろな変形および変更が本発明の特許請求の範囲内で可能なこと、またそうした変形例および変更も本発明の特許請求の範囲にあることは当業者に理解されるところである。従って、本明細書での記述および図面は限定的ではなく例証的に扱われるべきものである。
【００４４】
以下、変形例について説明する。変形例の図面および説明では、実施形態と同一または同等の構成要素、部材には、同一の符号を付する。実施形態と重複する説明を適宜省略し、第１実施形態と相違する構成について重点的に説明する。
【００４５】
（第１変形例）
第１実施形態の説明では、本体部１０が断面変化部４４を有する例について説明したが、本発明はこれに限定されない。本体部１０が断面変化部４４を有することは必須ではない。図５は、第１変形例に係る光照射装置２００の側面視の断面図である。図５は図３に対応する。図５を含め、変形例を示す図では、センサ４６や緩衝部材１８ｓなどの記載を省略している。光照射装置２００は第１実施形態に係る光照射装置１００に対して、本体部１０（Ｂ）が断面変化部を有せず、光源部２０（Ｂ）が発光素子２２ｅを１つだけ備える点で相違し、その他の構成は同様である。第１変形例に係る光照射装置２００は、第１実施形態に係る光照射装置１００と同様に機能する。
【００４６】
（第２変形例）
第１実施形態の説明では、光路変更部３２が反射部材３４を別個の部材として備える例について説明したが、本発明はこれに限定されない。反射部材は本体部または出射部と一体に形成されてもよい。図６は、第２変形例に係る光照射装置３００の側面視の断面図である。図６は図３に対応する。第２変形例に係る光照射装置３００は、第１変形例に係る光照射装置２００に対して、本体部１０（Ｃ）と出射部１８（Ｃ）とが一体に形成され、光路変更部３２（Ｃ）が本体部１０（Ｃ）と一体に設けられている点で相違し、その他の構成は同様である。第２変形例に係る光照射装置３００は、第１実施形態に係る光照射装置１００と同様に機能する。
【００４７】
（第３変形例）
第１実施形態の説明では、光源部２０が４個の発光素子２２ｅを備える例について説明したが、本発明はこれに限定されない。光源部は、３個以下または５個以上の発光素子２２ｅを備えてもよい。図７は、第３変形例に係る光照射装置４００の側面視の断面図である。図８は、光照射装置４００の光源部２０（Ｄ）の正面図である。図７は図３に対応し、図８は図４に対応する。
【００４８】
第３変形例に係る光照射装置４００は、第２変形例に係る光照射装置３００に対して、本体部１０（Ｄ）に断面変化部４４（Ｄ）が設けられ、光源部２０（Ｄ）が９個の発光素子２２ｅを備えている点で相違し、その他の構成は同様である。この場合、照射光の照度が増えて樹脂の硬化時間を短縮することができる。９個の発光素子２２ｅは３行３列に配列されている。光照射装置４００では、本体部１０（Ｄ）の光源部２０（Ｄ）側の半分は断面変化部４４（Ｄ）であり、本体部１０（Ｄ）の他の半分は、光路断面積が一定である定断面部４５（Ｄ）である。第３変形例に係る光照射装置４００は、第１実施形態に係る光照射装置１００と同様に機能する。
【００４９】
（第４変形例）
図９は、第４変形例に係る光照射装置５００の側面視の断面図である。図９は図７に対応する。第４変形例に係る光照射装置５００は、第３変形例に係る光照射装置４００に対して、本体部１０（Ｅ）の断面形状が異なる点で相違し、その他の構成は同様である。光照射装置４００では、本体部１０（Ｅ）の略全体が断面変化部４４（Ｅ）である。第４変形例に係る光照射装置５００は、第１実施形態に係る光照射装置１００と同様に機能する。
【００５０】
（第５変形例）
図１０は、第５変形例に係る光照射装置６００の側面視の断面図である。図１０は図９に対応する。第５変形例に係る光照射装置６００は、第４変形例に係る光照射装置５００に対して、本体部１０（Ｆ）の断面形状が異なる点で相違し、その他の構成は同様である。第４変形例に係る光照射装置５００の第２反射板１４（Ｅ）は、Ｙ軸方向に対して傾斜しているのに対して、第５変形例に係る光照射装置６００の第２反射板１４（Ｆ）は、Ｙ軸方向に平行である。第５変形例に係る光照射装置６００は、第１実施形態に係る光照射装置１００と同様に機能する。
【００５１】
（第６変形例）
第１実施形態の説明では、複数の発光素子２２ｅが、マトリックス状に配置される例について説明したが、これに限定されない。複数の発光素子２２ｅは同心円状など任意のパターンによって配置されてもよい。
【００５２】
（第７変形例）
第１実施形態の説明では、出射口１８ｈが矩形状に形成される例について説明したが、これに限定されない。出射口１８ｈは、矩形以外の多角形状や楕円形状など任意の形状の開口部を含んでもよい。
【００５３】
（第８変形例）
第１実施形態の説明では、光源部２０が本体部１０と一体に構成される例について説明したが、これに限定されない。光源部と導光部との間が、光ファイバーなどの光伝送媒体を介して接続されてもよい。
【００５４】
（第９変形例）
第１実施形態の説明では、光照射装置１００の光路が、レンズなど透光性を有する光学素子を用いずに構成される例について説明したが、これに限定されない。光照射装置は透光性を有する光学素子を含んで構成されてもよい。
【００５５】
上述の各変形例は第１実施形態と同様の作用・効果を奏する。
【００５６】
上述した各実施形態と変形例の任意の組み合わせもまた本発明の実施形態として有用である。組み合わせによって生じる新たな実施形態は、組み合わされる各実施形態および変形例それぞれの効果をあわせもつ。
【符号の説明】
【００５７】
８・・導光部、  １０・・本体部、  １８・・出射部、  １８ｈ・・出射口、  ２０・・光源部、  ２２ｅ・・発光素子、  ２８・・照射光、  ３２・・光路変更部、  ３４・・反射部材、  ４２・・着脱機構、  ４４・・断面変化部、  １００・・光照射装置。
【図１】
2019115523.tif 000003
【図２】
2019115523.tif 000004
【図３】
2019115523.tif 000005
【図４】
2019115523.tif 000006
【図５】
2019115523.tif 000007
【図６】
2019115523.tif 000008
【図７】
2019115523.tif 000009
【図８】
2019115523.tif 000010
【図９】
2019115523.tif 000011
【図１０】
2019115523.tif 000012